(57)【要約】      （修正有）【課題】  被験者の臨床データに裏付けされる効果に基づき設定された作動時間で副交感神経の機能向上を図り、健康の維持増進を促す回転式健康維持増進装置を提供する。【解決手段】  回転体２と支持台１を備え、横向き開口した回転体２の内部に両足固定部１０と両手固定部１１を有する寝台４を備えた居住室Ｓを設け、支持台１は回転体２を回転自在に載置し、駆動モータ６、回転体２の作動時間及び動作パターンを設定する操作部１４を有する回転制御部５を具備した回転式健康維持装置とする。回転制御部５は、年令、性別、持病の有無の各条件に基づき、データベースの全被験者データから抽出した最適合被験者データ、設定集計時間内で該被験者データの副交感神経の活動周期データから抽出した活動量ピーク時の時間データ、各ピーク間の時間の加算計時間をピーク間の総数で割って得た平均値データを回転体２の１回の作動時間として設定する。【選択図】    図１（ａ）（ｂ）
2006006606.tif 000002
【特許請求の範囲】
【請求項１】
回転体（２）と、該回転体（２）の支持台（１）とを備え、この回転体（２）は横向きに開口し、内部には外部からの出入りが自在となる居住室（Ｓ）を設けると共に、この居住室（Ｓ）内には両側に両足固定部（１０）と両手固定部（１１）とを有する寝台（４）を備え、支持台（１）は内周側に支持ローラー（３）を備えて前記回転体（２）を回転自在に載置しており、さらに前記回転体（２）又は支持台（１）のいずれかには、駆動モーター（６）と、この駆動モーター（６）に利用者が回転体（２）の作動時間及び動作パターンを設定するための操作部（１４）を有する回転制御部（５）とを具備した回転式健康維持増進装置であって、
前記回転制御部（５）は、操作部（１４）において利用者から入力された年令（５０）、性別（５１）、持病の有無（５２）の各条件に基づき、データベース（１８）内に格納された全被験者データ（２５）から、利用者の条件に最も適合した条件を有する被験者データ（２５）を抽出し、予め設定された集計時間内での該当被験者データ（２５）中の副交感神経の活動周期データ（３４）から、活動量のピーク時の時間データを全て抽出し、各ピーク間の時間を足した合計時間をピーク間の総数で割って算出された平均値データ（２４）を抽出し、この平均値データ（２４）を前記回転体（２）の１回の作動時間として設定することを特徴とする回転式健康維持増進装置。
【請求項２】
前記回転制御部（５）は、回転体（２）の作動回数を任意に設定できることを特徴とする請求項１記載の回転式健康維持増進装置。
【請求項３】
前記回転制御部（５）では、回転体（２）の１回あたりの作動時間内の動作パターンを適宜切り替えできることを特徴とする請求項１又は２記載の回転式健康維持増進装置。
【請求項４】
前記回転制御部（５）は、前記データベース（１８）に格納された全被験者データ（２５）の変更、削除、及び新規被験者データ（２５）の追加を行う編集機能を具備していることを特徴とする請求項１、２又は３記載の回転式健康維持増進装置。
【発明の詳細な説明】
【技術分野】
【０００１】
この発明は身体の健康維持増進、特に副交感神経の機能向上を図るための回転式健康維持増進装置に関するものである。
【背景技術】
【０００２】
ベッドや台の上に利用者の身体を拘束し、これを駆動モーター等の駆動装置によって適宜な角度に回転揺動して、逆さ吊りにするものが数々発表されており、このような作用によって血流促進を良くし、利用者の健康の増進を図るものであった。
【特許文献１】特開２００３−２１０５０４号公報
【特許文献２】特開２００１−８７３２６号公報
【発明の開示】
【発明が解決しようとする課題】
【０００３】
しかしながら従来発表されたこの種の健康維持増進装置にあっては、利用者の独断によりリモートコントローラー等を遠隔操作しながら動かしたり、あるいは、利用者の装置への熟練度等に応じて予め設定された動作パターンを、利用者独自の判断によって選択するものであったから、利用者にとって真に健康の維持増進を望めるものであるのかは疑われるものであった。
【０００４】
本発明は上記課題を鑑みてなされたものであり、年令を問わずに誰もが適度な運動を行えるのは勿論、被験者から得られた臨床データに裏付けされる効果に基づいて設定された作動時間により、副交感神経の飛躍的な機能向上を図って健康の維持増進を促すことができる回転式健康維持増進装置を提供することにある。
【課題を解決するための手段】
【０００５】
本発明のうち請求項１記載の発明は、回転体と、該回転体の支持台とを備え、この回転体は横向きに開口し、内部には外部からの出入りが自在となる居住室を設けると共に、この居住室内には両側に両足固定部と両手固定部とを有する寝台を備え、支持台は内周側に支持ローラーを備えて前記回転体を回転自在に載置しており、さらに前記回転体又は支持台のいずれかには、駆動モーターと、この駆動モーターに利用者が回転体の作動時間及び動作パターンを設定するための操作部を有する回転制御部とを具備した回転式健康維持装置であって、前記回転制御部は、操作部において利用者から入力された各条件に基づき、データベース内に格納された全被験者データから、利用者の条件に最も適合した条件を有する被験者データを抽出し、予め設定された集計時間内での該当被験者データ中の副交感神経の活動周期データから、活動量のピーク時の時間データを全て抽出し、各ピーク間の時間を足した合計時間をピーク間の総数で割って算出された平均値データを抽出し、この平均値データを前記回転体の１回の作動時間として設定することを特徴とする。
【０００６】
また請求項２記載の発明では、前記回転制御部において回転体の作動回数を任意に設定でき、さらに請求項３記載の発明では、前記回転制御部において、回転体の１回あたりの作動時間内における動作パターンを適宜設定できることで、回転体の作動状態をより利用者に適したものとできる。
【０００７】
利用者の年令、性別、持病の有無の各情報については、万一、全ての条件が一致した被験者データがデータベースに複数存在した場合、条件に適合する全ての被験者データから得られる副交感神経の活動周期の平均値データを、さらに平均し、これを回転体の駆動時間とする処理が行われる。また操作部とは、利用者が視覚的に且つ容易に前述した各条件を入力できる手段が好ましく、例えば、操作部に設けた液晶ディプレイの画面上に、所定の項目をグラフィカルに表示し、この項目に利用者が指圧でタッチ式に入力を行うようなもの等が挙げられる。さらに支持台とは、床上に設置して、支持ローラーを介して横向きの回転体を回転自在に支持するものである。また居住室とは、回転体内に利用者の身体を収められるスペースが確保されていればよく、また寝台、両手固定部、両足固定部のそれぞれは、回転体の作動時、居住室にいる利用者が振り落とされない程度の拘束力を有していればよい。
【０００８】
請求項２と請求項３において、回転体の作動回数を設定する手段は、設置スペースや本装置の使用感の観点等から、利用者情報を入力する操作部に併設することが好ましいが、例えば利用者が本装置の使用時、寝台に固定された状態からリモートコントローラー等で遠隔操作し、作動時間の延長を図るものでもよい。
【０００９】
以上のように構成した本発明の回転式健康維持増進装置では、利用者から入力された各種条件に基づいて、この条件とデータベース内に格納された全被験者データの該当項目とを照合して、誤差の最も少ない被験者データを抽出する。そして、抽出された該当被験者データにおける集計時間内の副交感神経の活動周期データの全てのピークを抽出した後、各ピーク間の時間を合計し、さらに合計時間をピーク間の総数で割って平均値を算出する。そして得られた平均値データと一致する時間で駆動モーターを作動して、回転体を１回転、あるいは揺動させるような制御を行う。
【００１０】
本発明のうち請求項４記載の発明では、前記回転制御部は、前記データベースに格納された全被験者データの変更、削除、及び新規の被験者データの追加を行う編集機能を具備しているので、新規に被験者データを追加してデータベースを拡充でき、利用者により近い副交感神経活動周期を示す被験者データの検出が可能となり、同一被験者のデータを最新の状態に更新することも可能となる。
【００１１】
被験者データの変更、追加、削除を行う具体的な手段としては、例えば、Access（商品名、製造及び販売元：マイクロソフト社）や、Oracle（商品名、製造及び販売元：オラクル社）によって構築されたデータベース管理ソフトを用いて行われる。また編集作業は基本的に、本装置のシステム管理者によって行われ、利用者側には開示されない構成となっている。また、新規被験者データの取り込みについては、本装置にＰＣ端末を接続して本装置に搭載されたHDDに被験者データを直接入力したり、あるいは、本装置に被験者データを格納したFDやCD-ROM等の外部メディアをドライブ装置を用いて接続し、本装置外にデータベースを構築してもよい。
【発明の効果】
【００１２】
本発明によれば、たとえ高齢者であっても無理なく適度な運動効果を得られるのは勿論、利用者の条件に近い被験者データの副交感神経の活動周期から回転体の作動時間を設定しているので、前述の副交感神経の機能向上に伴って高血圧症の改善等が図られる。
【００１３】
また請求項４のように、データベースに格納される被験者データの更新が行えることで、本装置の利用者の条件に一層適合した被験者データが得られ、さらなる健康の維持増進を図ることができる。
【発明を実施するための最良の形態】
【００１４】
本発明の回転式健康維持増進装置の一実施形態を各図面に基づいて説明する。
まず図１（ａ）（ｂ）、及び図２を参照して本実施形態の回転式健康維持増進装置を簡単に説明すると、支持台１と、該支持台１の内周側に設けた複数の支持ローラー３上に載置する回転体２とを備え、さらに回転体２の内周側には、利用者を拘束する寝台４が固定してある。そして寝台４の中心には、駆動モーター６のシャフトが突入しており、さらに駆動モーター６は回転制御部５と接続されている。
【００１５】
本発明の回転式健康維持増進装置の全体の構成について更に詳細に説明する。
まず支持台１は、その台幅が回転体２の幅より広幅に形成してあり、さらに支持ローラー３を台幅方向に平行して複数箇所に軸支している（図２参照）。また回転体２は、前フレーム８ａと後フレーム８ｂとの間に保護壁９を設け、その内部には、前フレーム８ａからの出入りが自在となる利用者の身体が収まる居住室Ｓを形成した横向きのドラム状をなすものである（図２参照）。さらに居住室Ｓの前後各フレーム８ａ，８ｂに支持された箇所には両足固定部１０を、相反する側には両手固定部１１をそれぞれ備え、また前記寝台４の中間部には利用者の身体胴部の補足具を備えている。また支持台１の左右に各々設けた起立部２３，２３により回転体２の前後移動が規制されており、支持ローラー３に載置した位置に留まったままでの回転が可能となっている。また両足固定部１０は、左靴固定具と右靴固定具とを備え、両手固定部１１は左把手部と右把手部とを備えており，前述した身体胴部の補足具と加えて利用者の両手両足を保持するものとなっている。
【００１６】
そして回転体２の作動、及び動作の制御を担う構成については、回転体２の後フレーム８ｂの中心部から後方に突設する回転軸７と、寝台４の後方に設ける回転軸７の軸受台１２とを備えている。また支持台１には、シャフトに駆動プーリー３５ｂを嵌挿した駆動モーター６が備えてある一方、軸受台１２から後側に突き出た回転軸７側には従動プーリー３５ａを嵌挿してあり、前記各プーリー３５ａ，３５ｂ間には無端ベルト１３が架け渡されている。さらに本装置には、前記駆動モーター６を制御して前記回転体２の回転速度・回転方向・回転数等を適宜設定する回転制御部５を備えており、この回転制御部５では、居住室Ｓ内に設置した操作パネル１４において、利用者が寝台４に保持されながらの回転体２の起動・停止等の各種操作が行える。
【００１７】
次に、本発明の回転式健康維持増進装置の主要部となる回転制御部５を中心に説明をする。
この回転制御部５は図３と図４に示すように、利用者が直接触れる操作パネル１４と、被験者データ２５群により構築されたデータベース１８を格納するHDD１５と、各種データ２０，２４，２５の様々な演算処理を行うCPU２１と、演算に関わる各種データ２０，２４，２５の記憶領域となるメモリ２２と、そして本回転式健康維持増進装置外からの被験者データ２５の読み込み・書き出しを行う外部記憶装置１６とモデム装置・LANポート１７とを備えている。
まず操作パネル１４は図５に示すように、本装置の起動／停止の切り替えを適宜行う電源ボタン４０、緊急停止ボタン４１、作動時間内の回転体２の動作パターンを設定するツマミ４２、本装置が正常動作であるのか否かを示すランプ４３、本装置に異常が検知されたことを示す警告ランプ４４、利用者が液晶表示画面上の所定の箇所に指で触れて入力する形式のディスプレイ１９を設けている。そして前記ディスプレイ１９には利用者の年令５０、性別５１、持病の有無５２の各々について、これらの情報５０，５１，５２の入力を促す項目欄が液晶表示されている（図９参照）。
【００１８】
そして前記回転制御部５では図６のフローに示すように、前述したディスプレイ１９からの入力により得られた利用者の入力データ２０に基づき、HDD１５内のデータベース１８に格納された全披験者データ２５の中から最も条件が適合する被験者データ２５を抽出し、さらに詳細は後述するが、副交感神経の活動周期データ３４から活動時間の平均値データ２４を割り出し、これを回転体２の作動時間として設定するものである。また利用者の年令５０、性別５１、持病５２の有無の各情報については、万一、全ての条件が一致した被験者データ２５がデータベース１８に複数存在した場合、条件に適合する全ての被験者データ２５から得られる副交感神経の活動周期の平均値データ２４を、さらに平均し、これを回転体２の駆動時間とする処理が行われる。
【実施例】
【００１９】
次に、上記構成の回転式健康維持増進装置の使用に際し、具体的に被験者データ２５中の副交感神経の活動周期データ３４から、回転体２の作動時間を設定する手順を以下に示す。
尚、図１０中の全被験者から無作為に選んだ２例（Ｎo.３，Ｎo.７）の各被験者データ２５を、今回のサンプル被験者としてそれぞれ選定した。
【００２０】
被験者データ２５は、心周波３１、心周微３２、呼吸量３３、副交感神経３４の活動量のそれぞれが折れ線グラフとして示されており、当該各折れ線グラフのうちの副交感神経の活動量を示すグラフから、この活動周期のピークタイム（図７（ａ）（ｂ）中の各丸数字のポイント。）を全て検出する。そして図８（ａ）（ｂ）に示すように、集計時間内の各ピークタイム間の秒数を全て抽出し、この平均を求める。例えばサンプル被験者Ｎo.３の場合、本実施形態において設定された１５０秒の間に、丸数字で示す５回の副交感神経の活動量のピークを迎えるが、このピーク間の秒間は、それぞれ１９秒間、２６秒間、１８秒間、２５秒間となる。そして各ピーク間の秒間の平均を算出することで、データベース１８内の該当サンプル被験者の被験者データ２５の副交感神経の項目は、２１．５秒間と設定される（図１０参照）。またサンプル被験者Ｎo.７についても、前述したサンプル被験者Ｎo.３と同様の手法で副交感神経の活動量の周期が設定されるが、図８（ｂ）中に示した×のように、ピーク間の秒間が他の秒間に比べて極端に短い場合には、このピークタイムは誤認データとして扱われ、抽出された全てのピークタイムから削除されることで、残りのピークタイム間の秒間から副交感神経の活動周期の平均値データ２４が設定される。
【００２１】
そして前述したデータベース１８では、利用者からの入力データ２０との照合がなされるが、本回転式健康維持増進装置へのアクセス権を有するシステム管理者側では、例えばＰＣ端末等から市販のデータベース管理ソフト（本実施形態では、製品名：Access、製造及び販売元：マイクロソフト社を使用している。）２６を使用し、データベース１８に格納された全被験者データ２５の管理を行っている。具体的には、本装置とローカル接続、あるいはネットワーク接続されたＰＣ端末において、オペレーター側にシステム管理者用ID、パスワードの入力を促してログインを行わせた後、図１０のような画面４６が管理者PC端末のディスプレイ装置に表示され、この画面４６上の所定の箇所に設けられた入力項目への入力を利用者に促している。次に前記画面４６の説明を行うと、図中の符号４５においては、データベース１８に格納済みの全被験者データ２５を、年令や持病の有無等の所定の各種条件毎に分別することができる。また符号３６は、新規の被験者データ２５のデータベース１８への読み込み、また符号３７は、既存の被験者データ２５の編集、そして符号３８は、既存の被験者データ２５のデータベース１８からの削除をそれぞれ行うものである。そして諸々の作業を終えれば、図中の符号３９を指定することで画面４６からログアウトされる。
【００２２】
一方、利用者側には操作パネル１４上の液晶ディスプレイ１９に、利用者本人の年令５０と性別５１、持病の有無５２の入力後には、画面中の決定ボタン５６を指でタッチすることで、回転体２の作動時間が表示される（図９中の符号５３参照）。また利用者が、回転体２の動作回数を変更したい場合には、符号５４の回数項目の上下の矢印のいずれかを指でタッチすることで行われ、さらに回転体２の動作パターンを変更したい場合には、操作パネル１４上のツマミ４２を切り替えれば、１回転、又は揺動のいずれかの動作がなされる。
【図面の簡単な説明】
【００２３】
【図１（ａ）（ｂ）】（ａ）は、本発明の回転式健康維持増進装置を示す一部を切欠した正面図であり、また（ｂ）は、回転体の作動状態を示したものである。
【図２】図１のＡ−Ａ線を縦断面図し、さらに一部を切欠したものである。
【図３】回転制御部の構成を示すブロック図である。
【図４】回転制御部による各種データの処理の流れを示す説明図である。
【図５】操作パネルを示す正面図である。
【図６】本発明の回転式健康維持増進装置の作動の流れを示すフローである。
【図７（ａ）（ｂ）】システム管理者側に画面表示される被験者データを示した図である。
【図８（ａ）（ｂ）】回転体の作動時間の設定までの流れを示す説明図である。
【図９】操作パネルのディスプレイ画面に表示される利用者情報の入力画面を示す図である。
【図１０】被験者データ群を格納したデータベースをシステム管理者側のＰＣ端末に画面表示した図である。
【符号の説明】
【００２４】
１  支持台
２  回転体
３  支持ローラー
４  寝台
５  回転制御部
６  駆動モーター
１０  両足固定部
１１  両手固定部
１４  操作パネル（操作部）
１８  データベース
２４  平均値データ
２５  被験者データ
３４  副交感神経データ
５０  年令
５１  性別
５２  持病の有無
Ｓ  居住室
【図１（ａ）（ｂ）】
2006006606.tif 000003
【図２】
2006006606.tif 000004
【図３】
2006006606.tif 000005
【図４】
2006006606.tif 000006
【図５】
2006006606.tif 000007
【図６】
2006006606.tif 000008
【図７（ａ）（ｂ）】
2006006606.tif 000009
【図８（ａ）（ｂ）】
2006006606.tif 000010
【図９】
2006006606.tif 000011
【図１０】
2006006606.tif 000012